(57)【要約】【課題】電波環境や視聴状況に左右されることなく、正しい受信レベルの判定を行う。【解決手段】デジタル放送受信装置は、デジタル放送波を受信復調し、搬送波電力対雑音電力比信号と、ビット誤り率信号と、パケット誤り率信号と、同期状態信号とを出力するデジタル放送受信復調部８０と、当該装置の移動状態を表すドップラー周波数または移動速度を取得する移動状態取得部８１と、搬送波電力対雑音電力比信号と同期状態信号とを用いて受信レベルについて暫定判定を行い、受信レベルが低いと暫定判定した場合には、ドップラー周波数または移動速度と前記パケット誤り率信号とを用いて受信レベルを確定判定し、受信レベルが高いと暫定判定した場合には、ビット誤り率を用いて受信レベルを確定判定する受信レベル判定部８２とを備えている。【選択図】図１０
2013197660.tif 000002
【特許請求の範囲】
【請求項１】
デジタル放送波を受信復調し、搬送波電力対雑音電力比信号と、ビット誤り率信号と、パケット誤り率信号と、同期状態信号とを出力するデジタル放送受信復調部と、
当該デジタル放送受信装置の移動状態を表すドップラー周波数または移動速度を取得する移動状態取得部と、
前記搬送波電力対雑音電力比信号と同期状態信号とを用いて受信レベルについて暫定判定を行い、前記受信レベルが低いと暫定判定した場合には、前記ドップラー周波数または移動速度と前記パケット誤り率信号とを用いて受信レベルを確定判定し、前記受信レベルが高いと暫定判定した場合には、前記ビット誤り率を用いて受信レベルを確定判定する受信レベル判定部と
を備えたことを特徴とするデジタル放送受信装置。
【請求項２】
前記受信レベル判定部は、
前記同期状態信号を用いて受信レベルが最低レベルにあるか否か判定することを特徴とする請求項１記載のデジタル放送受信装置。
【請求項３】
前記デジタル放送受信復調部は、
変調方式信号と符号化率信号とを更に出力し、
前記変調方式信号と符号化率信号とに基づいて、前記暫定判定の基準を決定する判定基準設定部を更に備えることを特徴とする請求項１または２に記載のデジタル放送受信機。
【請求項４】
前記受信レベル判定部により確定判定された受信レベルの変化を検出し、映像及び／又は音声信号として出力する受信レベル変化検出部を更に備えることを特徴とする請求項１から３のいずれかに記載のデジタル放送受信装置。
【請求項５】
前記搬送波電力対雑音電力比信号についての平均値を求める平均化部を更に備え、
前記受信レベル判定部は、
前記平均化部が平均化した搬送波電力対雑音電力比信号に基づいて受信レベルを判定する
ことを特徴とする請求項１から４のいずれかに記載のデジタル放送受信装置。
【請求項６】
前記受信レベル判定部は、
前記ドップラー周波数または前記移動速度と所定の閾値とを比較することにより、静止時、あるいは中速移動時、あるいは高速移動時のいずれの状態であるかを判定し、判定した状態に応じて、圏外判定までの時間を調整する
ことを特徴とする請求項１から５のいずれかに記載のデジタル放送受信装置。
【請求項７】
前記受信レベル判定部は、
前記ドップラー周波数または前記移動速度が大きい場合、圏外判定までの時間を長くとり、一度圏外と判定した場合の、圏外からの復帰時間を短くし、前記ドップラー周波数または前記移動速度が小さい場合、圏外判定までの時間を短く、圏外からの復帰時間を長くする
ことを特徴とする請求項１から５のいずれかに記載のデジタル放送受信装置。
【請求項８】
デジタル放送受信装置でのデジタル放送受信レベル判定方法であって、
デジタル放送波を受信復調し、搬送波電力対雑音電力比信号と、ビット誤り率信号と、パケット誤り率信号と、同期状態信号とを出力するステップと、
当該デジタル放送受信装置の移動状態を示すドップラー周波数または移動速度を取得するステップと、
前記搬送波電力対雑音電力比信号と同期状態信号とを用いて受信レベルについて暫定判定を行うステップと、
前記受信レベルが低いと暫定判定した場合には、前記ドップラー周波数または移動速度と前記パケット誤り率信号とを用いて受信レベルを確定判定するステップと、
前記受信レベルが高いと暫定判定した場合には、前記ビット誤り率を用いて受信レベルを確定判定するステップと
を含むことを特徴とするデジタル放送受信レベル判定方法。
【請求項９】
デジタル放送を受信復調した結果により、それぞれ更新される搬送波電力対雑音電力比信号と、データ誤り率と、同期状態信号とを格納するレジスタを備えたデジタル放送受信装置のコンピュータに、
当該デジタル放送受信装置の移動状態を示すドップラー周波数または移動速度を取得する移動状態取得機能、
前記搬送波電力対雑音電力比信号と同期状態信号とを用いて受信レベルについて暫定判定を行う暫定判定機能、
前記受信レベルが低いと暫定判定した場合には、前記ドップラー周波数または移動速度と前記パケット誤り率信号とを用いて受信レベルを確定判定する第１の確定判定機能、
前記受信レベルが高いと暫定判定した場合には、前記ビット誤り率を用いて受信レベルを確定判定する第２の確定判定機能
を実行させることを特徴とするプログラム。
【発明の詳細な説明】
【技術分野】
【０００１】
本発明は、デジタル放送受信装置、デジタル放送受信レベル判定方法、及びプログラムに関する。
【背景技術】
【０００２】
デジタル放送受信機能付きの携帯端末が普及し、ユーザ数＝携帯端末所持者となっている。また、国内では、２０１１年からアナログ放送が停波した周波数帯域を使用して、新サービスのマルチメディア放送が開始されようとしており、益々デジタル放送の使用頻度が増えている。
【０００３】
例えば、特許文献１には、放送視聴中に圏外となっても引き続き視聴し続ける技術が提案されている。
【０００４】
また、特許文献２には、携帯端末が放送波発信装置から離れる移動速度を検出し、受信レベルが限界の受信レベルを下回った場合に、移動速度を用いて、放送圏の変化による放送圏外なのか又はスポット的な放送圏外なのかを判定する技術が提案されている。
【０００５】
また、特許文献３には、受信信号強度（ＲＳＳＩ：Received Signal Strength Indication）や、同期状態、搬送波電力対雑音電力比（Ｃ／Ｎ：Carrier to Noise ratio）、ビット誤り率（ＢＥＲ：Bit  Error  Rate）、パケット誤り率（ＰＥＲ：Packet  Error  Rate）の値をモニタリングし、ある設定した閾値を越える・越えないことを判定すること、受信レベルを判定する技術が提案されている。
【０００６】
また、特許文献４には、移動通信端末の位置情報を計測し、該位置情報に基づいて、電波受信の圏外エリアに接近したと判断される場合に警告を発する技術が提案されている。
【０００７】
また、特許文献５には、基地局からの電波が圏外の状態である場合には、基地局からの電波が圏内の状態に移行するまでは、放送波のスキャンを停止または、基地局からの電波が圏内の状態のときよりも長い時間間隔でスキャンを繰り返すことによって、放送波をスキャンしても正常に受信可能とならない可能性の高い状態での放送波のスキャン回数を減らす技術が提案されている。
【先行技術文献】
【特許文献】
【０００８】
【特許文献１】特開２０１１−１４６８９６号公報
【特許文献２】特開２０１０−２１３０７２号公報
【特許文献３】特開２０１０−２０６７３４号公報
【特許文献４】特開２００９−０４９７５５号公報
【特許文献５】特開２００８−２８３４０６号公報
【発明の概要】
【発明が解決しようとする課題】
【０００９】
上述したデジタル放送を受信する携帯端末の特性上、屋外での使用も多くみられる。例えば、電車内、バス内、車内、歩行、新幹線内など、移動時に携帯端末のデジタル放送機能にて視聴することがある。このような様々な視聴状況下で用いられる携帯端末においては、ユーザに視聴状態をより正確に提示することが望まれる。ユーザに視聴状態を感覚的に伝える手段としては、現在の受信状態を数段階にレベル分けしてユーザに視覚的に表示することが一般的である。
【００１０】
しかしながら、上述した特許文献１〜５では、上述した様々な視聴状況下では、レベル表示が頻繁に変化し、正確な受信状態を提示することが難しいという問題があった。
【００１１】
そこで本発明は、電波環境や視聴状況に左右されることなく、正しい受信レベルの判定を行うことができるデジタル放送受信装置、デジタル放送受信レベル判定方法、及びプログラムを提供することを目的とする。
【課題を解決するための手段】
【００１２】
本発明のデジタル放送受信装置は、デジタル放送波を受信復調し、搬送波電力対雑音電力比信号と、ビット誤り率信号と、パケット誤り率信号と、同期状態信号とを出力するデジタル放送受信復調部と、当該デジタル放送受信機の移動状態を表すドップラー周波数または移動速度を取得する移動状態取得部と、前記搬送波電力対雑音電力比信号と同期状態信号とを用いて受信レベルについて暫定判定を行い、前記受信レベルが低いと暫定判定した場合には、前記ドップラー周波数または移動速度と前記パケット誤り率信号とを用いて受信レベルを確定判定し、前記受信レベルが高いと暫定判定した場合には、前記ビット誤り率を用いて受信レベルを確定判定する受信レベル判定部とを備えたことを特徴とするデジタル放送受信装置である。
【００１３】
本発明のデジタル放送受信レベル判定方法は、デジタル放送受信装置でのデジタル放送受信レベル判定方法であって、デジタル放送波を受信復調し、搬送波電力対雑音電力比信号と、ビット誤り率信号と、パケット誤り率信号と、同期状態信号とを出力するステップと、当該デジタル放送受信装置の移動状態を示すドップラー周波数または移動速度を取得するステップと、前記搬送波電力対雑音電力比信号と同期状態信号とを用いて受信レベルについて暫定判定を行うステップと、前記受信レベルが低いと暫定判定した場合には、前記ドップラー周波数または移動速度と前記パケット誤り率信号とを用いて受信レベルを確定判定するステップと、前記受信レベルが高いと暫定判定した場合には、前記ビット誤り率を用いて受信レベルを確定判定するステップとを含むことを特徴とするデジタル放送受信レベル判定方法である。
【００１４】
本発明のプログラムは、デジタル放送を受信復調した結果により、それぞれ更新される搬送波電力対雑音電力比信号と、データ誤り率と、同期状態信号とを格納するレジスタを備えたデジタル放送受信装置のコンピュータに、当該デジタル放送受信装置の移動状態を示すドップラー周波数または移動速度を取得する移動状態取得機能、前記搬送波電力対雑音電力比信号と同期状態信号とを用いて受信レベルについて暫定判定を行う暫定判定機能、前記受信レベルが低いと暫定判定した場合には、前記ドップラー周波数または移動速度と前記パケット誤り率信号とを用いて受信レベルを確定判定する第１の確定判定機能、前記受信レベルが高いと暫定判定した場合には、前記ビット誤り率を用いて受信レベルを確定判定する第２の確定判定機能を実行させることを特徴とするプログラムである。
【発明の効果】
【００１５】
この発明によれば、電波環境や視聴状況に左右されることなく、正しい受信レベルの判定を行うことができる。
【図面の簡単な説明】
【００１６】
【図１】本発明の実施形態による携帯端末装置の構成を示すブロック図である。
【図２】本実施形態によるデジタル放送受信・復調部（チューナ）２０とチューナ制御・映像・音声再生部（ＣＰＵ）３０との機能構成を示すブロック図である。
【図３】本実施形態において、受信状態のレベル、想定した受信率、及び想定した受信状態を示す概念図である。
【図４】本実施形態による受信レベル判定時で用いるＣ／Ｎ閾値を示す概念図である。
【図５】本実施形態による携帯端末装置の受信レベル判定動作を説明するためのフローチャートである。
【図６】本実施形態による携帯端末装置の受信レベル判定動作を説明するためのフローチャートである。
【図７】本実施形態による携帯端末装置の受信レベル判定動作を説明するためのフローチャートである。
【図８】本実施形態による携帯端末装置の受信レベル判定動作を説明するためのフローチャートである。
【図９】本実施形態において、ドップラー周波数に基づいて「静止時／中速移動／高速移動」を判定する際の閾値の他の例を示す概念図である。
【図１０】付記１の構成を示すブロック図である。
【発明を実施するための形態】
【００１７】
以下、本発明の実施の形態を、図面を参照して説明する。
【００１８】
図１は、本発明の実施形態による携帯端末装置１の構成を示すブロック図である。図１において、携帯端末装置１は、デジタル放送受信アンテナ１０、デジタル放送受信・復調部（チューナ）２０、チューナ制御・映像・音声再生部（ＣＰＵ）３０、画面表示部５０、音声出力部８０、及びメモリ７０を備えている。デジタル放送受信アンテナ１０は、デジタル放送を受信する。デジタル放送受信・復調部（チューナ）２０は、受信したデジタル放送をＯＦＤＭ（Orthogonal Frequency Division Multiplexing）復調し、誤り訂正符号の復号を行い、処理後のデータ（ＴＳ（Transport Stream）データ）を出力する。
【００１９】
チューナ制御・映像・音声再生部（ＣＰＵ）３０は、デジタル放送受信・復調部（チューナ）２０の出力データ（ＴＳデータ）を取り込み、映像・音声の再生を行うとともに、デジタル放送受信・復調部（チューナ）２０を制御する。
【００２０】
特に、チューナ制御・映像・音声再生部（ＣＰＵ）３０は、伝送パラメータ（変調方式、符号化率）、同期状態（ＳＹＮＣ）の情報、及び無線モニタ情報（ビット誤り率（ＢＥＲ）、パケット誤り率（ＰＥＲ）、搬送波電力対雑音電力比（Ｃ／Ｎ））に加えて、推定ドップラー周波数（Ｆｄとする）、及び移動速度を読み取る機能を有している。なお、携帯端末装置１のドップラー周波数や、移動時の速度情報は、受信機自体、もしくは受信機のＧＰＳやセンサなどのデバイス、もしくは携帯端末装置１の外部から取得する。
【００２１】
画面表示部５０は、チューナ制御・映像・音声再生部（ＣＰＵ）３０で処理された映像データを表示デバイス上に表示する。音声出力部６０は、チューナ制御・映像・音声再生部（ＣＰＵ）３０で処理された音声データを出力する。
【００２２】
メモリ７０は、チューナ制御・映像・音声再生部（ＣＰＵ）３０がデジタル放送受信・復調部（チューナ）２０から読み出した伝送パラメータ、同期状態（ＳＹＮＣ）、ビット誤り率（ＢＥＲ）、パケット誤り率（ＰＥＲ）、搬送波電力対雑音電力比（Ｃ／Ｎ）、推定ドップラー周波数、及び移動速度を格納する。
【００２３】
図２は、本実施形態によるデジタル放送受信・復調部（チューナ）２０とチューナ制御・映像・音声再生部（ＣＰＵ）３０との機能構成を示すブロック図である。図２において、デジタル放送受信・復調部（チューナ）２０は、同期状態（ＳＹＮＣ）の情報を格納するＳＹＮＣレジスタ２１、パケット誤り率（ＰＥＲ）を格納するＰＥＲレジスタ２２、ビット誤り率（ＢＥＲ）を格納するＢＥＲレジスタ２３、移動速度を格納する速度レジスタ２４、推定ドップラー周波数（Ｆｄ）を格納するドップラー周波数レジスタ２５、搬送波電力対雑音電力比（Ｃ／Ｎ）を格納するＣ／Ｎレジスタ２６、変調方式を格納する変調方式レジスタ２７、及び符号化率を格納する符号化率レジスタ２８を備えている。
【００２４】
チューナ制御・映像・音声再生部（ＣＰＵ）３０は、デジタル放送受信・復調部（チューナ）２０の各レジスタ２１〜２８から、伝送パラメータ（変調方式、符号化率）、同期状態（ＳＹＮＣ）の情報、及び無線モニタ情報（ビット誤り率（ＢＥＲ）、パケット誤り率（ＰＥＲ）、搬送波電力対雑音電力比（Ｃ／Ｎ））に加えて、推定ドップラー周波数（Ｆｄ）、及び移動速度を読み取り、受信状態の判定処理を行う。
【００２５】
ＳＹＮＣレジスタ２１の同期状態（ＳＹＮＣ）は、デジタル放送受信状態判定部４２に入力され、同期判定に使用される。ＰＥＲ換算部３１は、ＰＥＲレジスタ２２からのパケット誤り率（ＰＥＲ）に対して、後の処理に必要な換算を行い、履歴部３８に供給する。同様に、ＢＥＲ換算部３２は、ＢＥＲレジスタ２３からのビット誤り率（ＢＥＲ）に対して、後の処理に必要な換算を行い、履歴部３８に供給する。速度換算部３３は、速度レジスタ２４からの移動速度に対して、後の処理に必要な換算を行い、速度判定部３４に供給する。
【００２６】
速度判定部３４は、移動速度に基づいて速度を判定し、速度判定部３４に供給する。ドップラー周波数換算部３５は、ドップラー周波数レジスタ２５からのドップラー周波数に対して、後の処理に必要な換算を行い、ドップラー周波数判定部３６に供給する。
ドップラー周波数判定部３６は、換算されたドップラー周波数を判定し、履歴部３８に供給する。
【００２７】
Ｃ／Ｎ換算部３７は、Ｃ／Ｎレジスタ２６からの搬送波電力対雑音電力比（Ｃ／Ｎ）に対して、後の処理に必要な換算を行い、履歴部３８に供給する。履歴部３８は、換算後の、上記パケット誤り率（ＰＥＲ）、ビット誤り率（ＢＥＲ）、移動速度、ドップラー周波数、搬送波電力対雑音電力比（Ｃ／Ｎ）を、一旦、メモリ０に格納する。
【００２８】
判定基準設定部４０は、変調レジスタ２７からの変調方式と、符号化率レジスタ２８からの符号化率と、Ｃ／Ｎオフセットに基づいて、暫定判定の基準を決定する。平均化部４１は、Ｃ／Ｎ換算部３３が出力する搬送波電力対雑音電力比（Ｃ／Ｎ）に判定基準設定部４０が出力するＣ／Ｎオフセット値が加算された値を平均化する。平均化部３６による平均化は、任意の平均化回数、及び平均化時間の設定が可能である。
【００２９】
デジタル放送受信状態判定部４２は、ヒステリシスを設定した閾値を用いて、同期状態（ＳＹＮＣ）、パケット誤り率（ＰＥＲ）、ビット誤り率（ＢＥＲ）、移動速度、ドップラー周波数、平均化部４１が平均化した搬送波電力対雑音電力比（Ｃ／Ｎ）に基づいて、デジタル放送受信状態を判定する。
【００３０】
受信状態判定変化検出部４３は、デジタル放送受信状態判定部３７が判定した受信状態の変化を検出し、該受信状態変化を、映像及び／又は音声信号として出力する。なお、受信状態判定変化検出部４３には、通知／非通知（通知するか否か）、通知間隔を設定することができる。
【００３１】
図３は、本実施形態において、受信状態のレベル、想定した受信率、及び想定した受信状態の関係を示す概念図である。受信状態は、Ｌｖ０の「悪い」からＬｖ３の「良い」までの４段階のレベルＬｖ０、Ｌｖ１、Ｌｖ２、Ｌｖ３からなる。レベルＬｖ０は、受信率が０％で、「同期が殆ど取れない。または同期していない。」という状態を想定している。また、レベルＬｖ１は、受信率が３０％以下で、「同期が取れることがあるが、映像・音声ともに殆ど出力されない。」という状態を想定している。
【００３２】
また、レベルＬｖ２は、受信率が３０〜７０％の場合、「音声はたまに再生されるが、映像の鑑賞には堪えられない。」という状態を想定し、受信率が７０〜９５％の場合、「映像・音声が高頻度で途切れるが、放送内容を識別できる。」という状態を想定している。また、レベルＬｖ３は、受信率が９５〜９９％の場合、「映像・音声が稀に途切れるが、問題なく視聴できる。」という状態を想定し、受信率が１００％の場合、「映像・音声ともに途切れず、完全に再生できる。」という状態を想定している。
【００３３】
図４は、本実施形態による受信状態判定に用いるＣ／Ｎ閾値を示す概念図である。図４には、受信レベルＬｖ０〜Ｌｖ３とＣ／Ｎ値との関係を示している。Ｃ／Ｎ値によって受信レベルを判定する場合には、原則的な基準として、Ｃ／Ｎ閾値ａが受信レベルＬｖ１とＬｖ２との境界となり、Ｃ／Ｎ閾値ｂが受信レベルＬｖ２とＬｖ３との境界となり、Ｃ／Ｎ閾値ｃが受信レベルＬｖ０（圏外）とＬｖ１との境界となる。
【００３４】
すなわち、基本的には、Ｃ／Ｎ値がＣ／Ｎ閾値ｃより小の場合には、受信レベルＬｖ０となり、Ｃ／Ｎ値がＣ／Ｎ閾値ａより小で、Ｃ／Ｎ閾値ｃ以上の場合には、受信レベルＬｖ１となり、Ｃ／Ｎ値がＣ／Ｎ閾値ａ以上で、Ｃ／Ｎ閾値ｂより小の場合には、受信レベルＬｖ２となり、Ｃ／Ｎ閾値ｂ以上である場合には、受信レベルＬｖ３となる。なお、閾値の大小関係はｂ＞ａ＞ｃである。
【００３５】
但し、フェージング等によりＣ／Ｎ値は変動するので、頻繁に受信レベルが変動しないように、Ｃ／Ｎ閾値には、それぞれＣ／Ｎヒステリシス幅を設けている。また、Ｃ／Ｎ閾値ａおよびＣ／Ｎ閾値ｂに対するＣ／Ｎヒステリシス幅が、重ならないように設定することが重要である。重なってしまうとＣ／Ｎ閾値ａとＣ／Ｎ閾値ｂの間の受信レベルＬｖに遷移しづらくなる。
【００３６】
次に、上述した実施形態の動作について説明する。
図５乃至図８は、本実施形態による携帯端末装置の受信レベル判定動作を説明するためのフローチャートである。デジタル放送受信状態判定部３７は、ＳＹＮＣレジスタ２１から読み込んだ同期状態（ＳＹＮＣ）の情報に基づいて、同期状態を判定する（ステップＳ１０）。そして、非同期である場合には（ステップＳ１０の非同期）、レベルＬｖ＝０（確定）とし（ステップＳ１２）、当該処理を終了する。
【００３７】
一方、同期している場合には（ステップＳ１０の同期）、ビット誤り率（ＢＥＲ）、パケット誤り率（ＰＥＲ）、移動速度、ドップラー周波数をそれぞれのレジスタ２３、２２、２４、２５から読みだして履歴部３４に保存する（ステップＳ１４）。次に、変調方式、及び符号化率を判断して、デジタル放送受信復調部（チューナー）２０の変調方式および符号化率の違いによる所要Ｃ／Ｎ差分の補正を行い（ステップＳ１６）、Ｃ／Ｎ閾値に対してヒステリシスを設定し、頻繁に受信判定Ｌｖが変化しないよう対策する（ステップＳ１８）。
【００３８】
次に、搬送波電力対雑音電力比（Ｃ／Ｎ）がＣ／Ｎ閾値ａより小であるか否かを判定（ステップＳ２０）。そして、搬送波電力対雑音電力比（Ｃ／Ｎ）がＣ／Ｎ閾値ａより小である場合には（ステップＳ２０のＹＥＳ）、レベルＬｖ＝１（暫定）と判定し（ステップＳ２２）、当該処理を終了する。
【００３９】
一方、搬送波電力対雑音電力比（Ｃ／Ｎ）がＣ／Ｎ閾値ａより小でない場合には（ステップＳ２０のＮＯ）、搬送波電力対雑音電力比（Ｃ／Ｎ）がＣ／Ｎ閾値ｂより小であるか否かを判定（ステップＳ２４）。そして、搬送波電力対雑音電力比（Ｃ／Ｎ）がＣ／Ｎ閾値ｂより小である場合には（ステップＳ２２のＹＥＳ）、レベルＬｖ＝２（暫定）と判定し（ステップＳ２６）、当該処理を終了する。
【００４０】
一方、搬送波電力対雑音電力比（Ｃ／Ｎ）がＣ／Ｎ閾値ｂより小でない場合には（ステップＳ２４のＮＯ）、レベルＬｖ＝３（暫定）と判定し（ステップＳ２８）、当該処理を終了する。
【００４１】
次に、上述した処理で、レベルＬｖ＝１〜３（暫定）に判定された場合、図６に示すフローチャートに進む。まず、デジタル放送受信状態判定部４２は、現在の判定結果がレベルＬｖ＝１（暫定）であるか否かを判定する（ステップＳ３０）。そして、レベルＬｖ＝１（暫定）でない場合には（ステップＳ３０のＮＯ）、レベルＬｖ＝２ｏｒ３（暫定）のフロー（図６）に進む（ステップＳ３２）。
【００４２】
一方、現在の判定結果がレベルＬｖ＝１（暫定）である場合には（ステップＳ３０のＹＥＳ）、ドップラー周波数判定部３６で、ドップラー周波数がＦｄ以上であるか否かを判定する（ステップＳ３４）。そして、ドップラー周波数がＦｄ以上ある場合には（ステップＳ３４のＹＥＳ）、記憶したＰＥＲ履歴の総数がｎ１以上であるか否かを判定する（ステップＳ３６）。ＰＥＲを使う理由は、Ｌｖ０では、受信率０％かつ同期が外れない場合が存在するため、搬送波電力対雑音電力比（Ｃ／Ｎ）のみでの正確な判定はできないためである。
【００４３】
そして、記憶したＰＥＲ履歴の総数がｎ１以上である場合には（ステップＳ３６のＹＥＳ）、前回のレベルＬｖ判定結果がＬｖ≠０であるか否かを判定し（ステップＳ３８）、前回のレベルＬｖ判定結果がＬｖ≠０である場合には（ステップＳ３８のＹＥＳ）、直近のＰＥＲ履歴ｎ１回分について、ＰＥＲ≧Ｘとなる数がｎ２回以上であるか否かを判定する（ステップＳ４０）。
【００４４】
そして、直近のＰＥＲ履歴ｎ１回分について、ＰＥＲ≧Ｘとなる数がｎ２回以上である場合には（ステップＳ４０のＹＥＳ）、レベルＬｖ＝０（確定）と判定し（ステップＳ５４）、当該処理を終了する。
【００４５】
一方、前回のレベルＬｖ判定結果がＬｖ≠０でない場合には（ステップＳ３８のＮＯ）、直近のＰＥＲ履歴ｎ３回分について、ＰＥＲ≧Ｘとなる数がｎ４回以上であるか否かを判定する（ステップＳ４２）。そして、直近のＰＥＲ履歴ｎ３回分について、ＰＥＲ≧Ｘとなる数がｎ４回以上である場合には（ステップＳ４２のＹＥＳ）、レベルＬｖ＝０（確定）と判定し（ステップＳ５４）、当該処理を終了する。
【００４６】
一方、記憶したＰＥＲ履歴の総数がｎ１以上でない場合（ステップＳ３６のＮＯ）、あるいは、直近のＰＥＲ履歴ｎ１回分について、ＰＥＲ≧Ｘとなる数がｎ２回以上ない場合には（ステップＳ４０のＮＯ）、あるいは、直近のＰＥＲ履歴ｎ３回分について、ＰＥＲ≧Ｘとなる数がｎ４回以上ない場合には（ステップＳ４２のＮＯ）、レベルＬｖ＝１（確定）と判定し（ステップＳ５６）、当該処理を終了する。
【００４７】
次に、ドップラー周波数がＦｄ以上でない場合には（ステップＳ３４のＮＯ）、記憶したＰＥＲ履歴の総数がｎ１以上であるか否かを判定する（ステップＳ４６）。そして、記憶したＰＥＲ履歴の総数がｎ１以上である場合には、前回のレベルＬｖ判定結果がＬｖ≠０であるか否かを判定し（ステップＳ４８）、前回のレベルＬｖ判定結果がＬｖ≠０である場合には（ステップＳ４８のＹＥＳ）、直近のＰＥＲ履歴ｎ１’回分について、ＰＥＲ≧Ｘとなる数がｎ２’回以上であるか否かを判定する（ステップＳ５０）。
【００４８】
そして、直近のＰＥＲ履歴ｎ１’回分について、ＰＥＲ≧Ｘとなる数がｎ２’回以上である場合には（ステップＳ５０のＹＥＳ）、レベルＬｖ＝０（確定）と判定し（ステップＳ５８）、当該処理を終了する。
【００４９】
一方、前回のレベルＬｖ判定結果がＬｖ≠０でない場合には（ステップＳ４８のＮＯ）、直近のＰＥＲ履歴ｎ３’回分について、ＰＥＲ≧Ｘとなる数がｎ４’回以上であるか否かを判定する（ステップＳ５２）。そして、直近のＰＥＲ履歴ｎ３’回分について、ＰＥＲ≧Ｘとなる数がｎ４’回以上である場合には（ステップＳ５２のＹＥＳ）、レベルＬｖ＝０（確定）と判定し（ステップＳ５８）、当該処理を終了する。
【００５０】
一方、記憶したＰＥＲ履歴の総数がｎ１以上でない場合（ステップＳ４６のＮＯ）、あるいは、直近のＰＥＲ履歴ｎ１’回分について、ＰＥＲ≧Ｘとなる数がｎ２’回以上でない場合（ステップＳ５０のＮＯ）、あるいは、直近のＰＥＲ履歴ｎ３’回分について、ＰＥＲ≧Ｘとなる数がｎ４’回以上でない場合には（ステップＳ５２のＮＯ）、レベルＬｖ＝１（確定）と判定し（ステップＳ５６）、当該処理を終了する。
【００５１】
次に、上述した処理で、レベルＬｖ＝２ｏｒ３（暫定）に判定された場合（ステップＳ３０のＮＯ）、図７に示すフローチャートに進む。まず、デジタル放送受信状態判定部４２は、記憶したＢＥＲ履歴の総数がｎ５以上であるか否かを判定する（ステップＳ７０）。そして、記憶したＢＥＲ履歴の総数がｎ５以上である場合には（ステップＳ７０のＹＥＳ）、直近のＢＥＲ履歴ｎ５回分について、ＢＥＲ≧Ｙとなる数がｎ６回以上であるか否かを判定する（ステップＳ７２）。そして、直近のＢＥＲ履歴ｎ５回分について、ＢＥＲ≧Ｙとなる数がｎ６回以上である場合には（ステップＳ７２のＹＥＳ）、レベルＬｖ＝１（確定）と判定し（ステップＳ７４）、当該処理を終了する。
【００５２】
一方、記憶したＢＥＲ履歴の総数がｎ５以上でない場合（ステップＳ７０のＮＯ）、あるいは直近のＢＥＲ履歴ｎ５回分について、ＢＥＲ≧Ｙとなる数がｎ６回以上でない場合には（ステップＳ７２のＮＯ）、現在、レベルＬｖ＝２（暫定）であるか否かを判定する（ステップＳ７６）。そして、レベルＬｖ＝２（暫定）である場合には（ステップＳ７６のＹＥＳ）、レベルＬｖ＝２（確定）と判定し（ステップＳ７８）、当該処理を終了する。
【００５３】
一方、レベルＬｖ＝２（暫定）でない場合には（ステップＳ７６のＮＯ）、レベルＬｖ＝３（暫定）のフロー（図８）に進む（ステップＳ８０）。
【００５４】
次に、上述した処理で、レベルＬｖ＝３（暫定）に判定された場合（ステップＳ７６のＮＯ）、図８に示すフローチャートに進む。まず、デジタル放送受信状態判定部４２は、記憶したＢＥＲ履歴の総数がｎ７以上であるか否かを判定する（ステップＳ９０）。そして、記憶したＢＥＲ履歴の総数がｎ７以上である場合には（ステップＳ９０のＹＥＳ）、直近のＢＥＲ履歴ｎ７回分について、ＢＥＲ≧Ｚとなる数がｎ８回以上であるか否かを判定する（ステップＳ９２）。ＢＥＲを使う理由は、ＰＥＲがまったく劣化していない状態でもＢＥＲでは劣化が確認できるためである。そして、直近のＢＥＲ履歴ｎ７回分について、ＢＥＲ≧Ｚとなる数がｎ８回以上である場合には（ステップＳ９２のＹＥＳ）、レベルＬｖ＝２（確定）と判定し（ステップＳ９４）、当該処理を終了する。
【００５５】
一方、記憶したＢＥＲ履歴の総数がｎ７以上でない場合（ステップＳ９０のＮＯ）、あるいは直近のＢＥＲ履歴ｎ７回分について、ＢＥＲ≧Ｚとなる数がｎ８回以上でない場合には（ステップＳ９２のＮＯ）、レベルＬｖ＝３（確定）と判定し（ステップＳ９６）、当該処理を終了する。
【００５６】
このように、まず、図４に示すように、Ｃ／Ｎ値の閾値ａ、ｂ、ｃを設定し、図５に示すフローチャートで、そのときの搬送波電力対雑音電力比（Ｃ／Ｎ）の値に応じて暫定的にレベルをマッッピングする。その後、図６、図７、図８に示すフローチャートで、ドップラー周波数や移動速度、ＢＥＲ、ＰＥＲを組み合わせて、レベルを決定していく。ＢＥＲ、ＰＥＲについては、過去の蓄積データ数のうち、どれくらいのデータ数が閾値をまたぐかによって判定を行う。
【００５７】
この結果、移動時や周りの環境が動くフェージング環境下においても、圏外判定までの時間、及び圏外から圏内に復帰するまでの時間を調整することが可能となる。移動時の速度情報もしくはドップラー周波数は、受信機自体もしくは受信機のＧＰＳやセンサなどのデバイス、もしくは携帯端末外部から得る。
【００５８】
（１）ドップラー周波数ないし移動速度をモニタする。
（２）ドップラー周波数に予め閾値を設定し、「静止時／中速移動時／高速移動時」を判定する。
（３）「静止時／中速移動時／高速移動時」によって、圏外判定までの時間を調整する。
【００５９】
ドップラー周波数が大きい（速度が速い）場合、受信エリアを移動していると想定されるため、フリンジから中電界、強電界へと移動し、受信可能なエリアに移動するまでの時間も短いと想定される。そこで、圏外判定までの時間を長くとり、一度圏外と判定した場合の、圏外からの復帰時間を短くする。
ＣＮ判定→ドップラー周波数判定（移動）→ＢＥＲ、ＰＥＲ判定（判定時間を長く、復帰時間は短く。）
【００６０】
一方、ドップラー周波数が小さい（速度が遅い）場合、すぐに受信可能なエリアに移動することは上記のドップラー周波数が大きい（速度が速い）状態よりは考えにくいため、圏外判定までの時間を短く、圏外からの復帰時間を長くする。
ＣＮ判定→Ｆｄ（静止）→ＢＥＲ、ＰＥＲ判定（判定時間を短く、復帰時間は長く。）
【００６１】
この閾値は、デジタル放送受信・復調部（チューナ）２０のレジスタ読み出し値を使用しているため、携帯端末装置１に搭載させているデジタル放送受信・復調部（チューナ）２０を変更する場合には、閾値の再調整が必要となる。静止、及び移動時のドップラー周波数、速度、搬送波電力対雑音電力比（Ｃ／Ｎ）、ビット誤り率（ＢＥＲ）、パケット誤り率（ＰＥＲ）、ＲＳＳＩなどのモニタ値を、変更前後のデジタル放送受信・復調部（チューナ）２０にて比較し、その差分を不揮発性メモリに記述し、チューナ制御・映像・音声・再生部（ＣＰＵ）３０でオフセット処理させることで、開発工数を容易に削減することが可能である。
【００６２】
上述した実施形態によれば、同期状態（ＳＹＮＣ）、搬送波電力対雑音電力比（Ｃ／Ｎ）、ビット誤り率（ＢＥＲ）、パケット誤り率（ＰＥＲ）に加えて、ドップラー周波数、移動速度を用いて、受信状態を判定することで、携帯端末装置１のような移動機でも、電波環境に左右されることなく、想定する受信率と一致したデジタル放送受信状態を提示（表示）することができる。特に、圏外判定までの判定時間を調整し、実際の受信状態により合致するように、受信状態を判定することができる。
【００６３】
また、上述した実施形態によれば、表示方法としても有効であり、携帯端末装置１のような移動機に限らず、固定受信機であっても、想定する受信率と一致したデジタル放送の受信状態を提示（表示）することができる。
【００６４】
なお、上述した実施形態において、上記（３）に加えて、ドップラー周波数が小さい場合には、移動していなくても、周りの環境が動く場合が想定されるため、静止時、かつ室内判定（例えば、卓上ホルダ置き、ＡＣアダプタ充電、ワイヤレス充電の検出）することで、より正確に判定することが可能となる。また、ＧＰＳ（Global Positioning System）や基地局などから位置情報を得ることで自宅にいることを検出するようにしてもよい。
【００６５】
さらに、移動時の速度情報、もしくはドップラー周波数を、携帯端末装置１のデジタル放送受信・復調部（チューナ）２０ではなく、携帯端末装置１のＧＰＳ、センサなどのデバイス、もしくは携帯端末装置１の外部から得ることで代替可能である。
【００６６】
なお、上述した実施形態では、ドップラー周波数にあらかじめ閾値Ｆｄを設定し、「静止時／中速移動／高速移動」を判定する。図６に示すフローチャートのステップＳ３４でのように、ドップラー周波数の値が閾値Ｆｄ以上／未満のみで、その後の判定を分けているが、この判定基準については、例えば、図９に示すように閾値を設定して判定することもできる。
【００６７】
図９は、本実施形態において、ドップラー周波数に基づいて「静止時／中速移動／高速移動」を判定する際の閾値の他の例を示す概念図である。例えば、移動手段として新幹線を想定した場合、高速移動で、ドップラー周波数Ｆｄ＝７０Ｈｚ〜とし、移動手段として電車を想定した場合、中速移動で、ドップラー周波数Ｆｄ＝５〜７０Ｈｚとし、移動手段として徒歩を想定した場合、低速移動で、ドップラー周波数Ｆｄ＝０〜５Ｈｚとする。
【００６８】
また、本発明の実施形態では、携帯端末装置として携帯電話に適用した例であるが、これに限定されることなく、地上デジタル放送受信可能なテレビ、地上デジタル放送受信機能つきの携帯型または据置型の端末機器、例えば、通信機能を持つデジタルカメラ、携帯情報端末、パーソナルコンピュータ、通信機、その他の電子機器等、ＯＦＤＭ変調方式ベースの放送システムに適用可能である。
【００６９】
以下、本発明の特徴を付記する。
上記の実施形態の一部又は全部は、以下の付記のようにも記載されうるが、以下には限られない。
（付記１）
図１０は、付記１の構成図である。この図に示すように、付記１記載の発明は、
デジタル放送波を受信復調し、搬送波電力対雑音電力比信号と、ビット誤り率信号と、パケット誤り率信号と、同期状態信号とを出力するデジタル放送受信復調部８０と、
当該デジタル放送受信装置の移動状態を表すドップラー周波数または移動速度を取得する移動状態取得部８１と、
前記搬送波電力対雑音電力比信号と同期状態信号とを用いて受信レベルについて暫定判定を行い、前記受信レベルが低いと暫定判定した場合には、前記ドップラー周波数または移動速度と前記パケット誤り率信号とを用いて受信レベルを確定判定し、前記受信レベルが高いと暫定判定した場合には、前記ビット誤り率を用いて受信レベルを確定判定する受信レベル判定部８２と
を備えたことを特徴とするデジタル放送受信装置である。
【００７０】
（付記２）
前記受信レベル判定部は、前記同期状態信号を用いて受信レベルが最低レベルにあるか否か判定することを特徴とする付記１記載のデジタル放送受信装置である。
【００７１】
（付記３）
前記デジタル放送受信復調部は、変調方式信号と符号化率信号とを更に出力し、前記変調方式信号と符号化率信号とに基づいて、前記暫定判定の基準を決定する判定基準設定部を更に備えることを特徴とする付記１または２に記載のデジタル放送受信機である。
【００７２】
（付記４）
前記受信レベル判定部により確定判定された受信レベルの変化を検出し、映像及び／又は音声信号として出力する受信レベル変化検出部を更に備えることを特徴とする付記１から３のいずれかに記載のデジタル放送受信装置である。
【００７３】
（付記５）
前記搬送波電力対雑音電力比信号についての平均値を求める平均化部を更に備え、前記受信レベル判定部は、前記平均化部が平均化した搬送波電力対雑音電力比信号に基づいて受信レベルを判定することを特徴とする付記１から４のいずれかに記載のデジタル放送受信装置である。
【００７４】
（付記６）
前記受信レベル判定部は、前記ドップラー周波数または前記移動速度と所定の閾値とを比較することにより、静止時、あるいは中速移動時、あるいは高速移動時のいずれの状態であるかを判定し、判定した状態に応じて、圏外判定までの時間を調整することを特徴とする付記１から５のいずれかに記載のデジタル放送受信装置である。
【００７５】
（付記７）
前記受信レベル判定部は、前記ドップラー周波数または前記移動速度が大きい場合、圏外判定までの時間を長くとり、一度圏外と判定した場合の、圏外からの復帰時間を短くし、前記ドップラー周波数または前記移動速度が小さい場合、圏外判定までの時間を短く、圏外からの復帰時間を長くすることを特徴とする付記１から５のいずれかに記載のデジタル放送受信装置である。
【００７６】
（付記８）
デジタル放送受信装置でのデジタル放送受信レベル判定方法であって、デジタル放送波を受信復調し、搬送波電力対雑音電力比信号と、ビット誤り率信号と、パケット誤り率信号と、同期状態信号とを出力するステップと、当該デジタル放送受信装置の移動状態を示すドップラー周波数または移動速度を取得するステップと、前記搬送波電力対雑音電力比信号と同期状態信号とを用いて受信レベルについて暫定判定を行うステップと、前記受信レベルが低いと暫定判定した場合には、前記ドップラー周波数または移動速度と前記パケット誤り率信号とを用いて受信レベルを確定判定するステップと、前記受信レベルが高いと暫定判定した場合には、前記ビット誤り率を用いて受信レベルを確定判定するステップとを含むことを特徴とするデジタル放送受信レベル判定方法である。
【００７７】
（付記９）
デジタル放送を受信復調した結果により、それぞれ更新される搬送波電力対雑音電力比信号と、データ誤り率と、同期状態信号とを格納するレジスタを備えたデジタル放送受信装置のコンピュータに、当該デジタル放送受信装置の移動状態を示すドップラー周波数または移動速度を取得する移動状態取得機能、前記搬送波電力対雑音電力比信号と同期状態信号とを用いて受信レベルについて暫定判定を行う暫定判定機能、前記受信レベルが低いと暫定判定した場合には、前記ドップラー周波数または移動速度と前記パケット誤り率信号とを用いて受信レベルを確定判定する第１の確定判定機能、前記受信レベルが高いと暫定判定した場合には、前記ビット誤り率を用いて受信レベルを確定判定する第２の確定判定機能を実行させることを特徴とするプログラムである。
【符号の説明】
【００７８】
１  携帯端末装置
１０  デジタル放送受信アンテナ
２０  デジタル放送受信・復調部（チューナ）
２１〜２８  レジスタ
３０  チューナ制御・映像・音声再生部（ＣＰＵ）
３１  ＰＥＲ換算部
３２  ＢＥＲ換算部
３３  速度換算部
３４  速度判定部
３５  ドップラー周波数換算部
３６  ドップラー周波数判定部
３７  Ｃ／Ｎ換算部
３８  履歴部
４０  判定基準設定部
４１  平均化部
４２  デジタル放送受信状態判定部
４３  受信状態判定変化検出部
５０  画面表示部
６０  音声出力部
７０  メモリ
８０  デジタル放送受信復調部
８１  移動状態取得部
８２  受信レベル判定部
【図１】
2013197660.tif 000003
【図２】
2013197660.tif 000004
【図３】
2013197660.tif 000005
【図４】
2013197660.tif 000006
【図５】
2013197660.tif 000007
【図６】
2013197660.tif 000008
【図７】
2013197660.tif 000009
【図８】
2013197660.tif 000010
【図９】
2013197660.tif 000011
【図１０】
2013197660.tif 000012